(57)【特許請求の範囲】
【請求項１】
複数種類の流体が流されて、互いに直列に配置される複数のスタティックミキサーと、
各スタティックミキサー間に連結されて、前記複数種類の流体を所定時間滞留させるホース又は滞留槽と、
前記複数種類の流体が前記スタティックミキサー、及び、前記ホース又は滞留槽を流れることにより混合された混合流体が流入される流入槽と、を備え、
前記スタティックミキサーは、管と、前記管内に設けられて板状体を所定角度で捻られた多数のエレメントと、を備え、
前記複数のスタティックミキサーのうち、上流側のスタティックミキサーは下流側のスタティックミキサーよりも前記エレメントのピッチが短いことを特徴とする攪拌装置。
【請求項２】
前記管内には、捻り角度が異なり、着脱自在な多数のエレメントが互いに組み合わされて設けられていることを特徴とする請求項１に記載の攪拌装置。
【請求項３】
前記流入槽の上流側直前に、前記混合流体に対流を生じさせる対流手段が設けられていることを特徴とする請求項１又は２に記載の攪拌装置。
【請求項４】
前記複数の流体は、濁水及び凝集剤を含むことを特徴とする請求項１〜３のいずれか一項に記載の攪拌装置。
【発明の詳細な説明】
【技術分野】
【０００１】
本発明は、複数種類の流体を攪拌する攪拌装置、特に凝集剤を用いて濁水を簡易な設備で連続処理することのできる攪拌装置に関する。
【背景技術】
【０００２】
従来より、河川、湖沼、海域、ダム等の濁水の処理方法として、濁水に溶解装置にて溶解させた高分子ポリマーを投入し、それをスラリー槽に攪拌・反応させ、最終的に沈降槽にて処理水を分離する方法であったため、それぞれの槽が数十〜数百立米にも達し、非常に大掛かりな設備になっていまい、設置やコスト面で様々な不具合が生じていた。
濁水処理装置として、例えば特許文献１に示すように、濁水をポンプで汲み上げて、ポリ塩化アルミニウム（ＰＡＣ）を投入口から投入後、ラインミキサーで攪拌し、攪拌後の濁水を混合濁水槽に貯め、さらに、濁水管に排出した後、高分子凝集剤投入口から高分子凝集剤を投入する。これによって濁水は凝集槽の底部にある排出口から排出され、遮流板に当たることで、凝集槽内で乱流が発生しフロックを形成する。形成されたフロックは固定翼で上昇を抑制されフロック同士が互いに結びついて高密度フロックが形成されるといった構成の装置が知られている。
【特許文献１】特開平７−７１４号公報
【発明の開示】
【発明が解決しようとする課題】
【０００３】
しかしながら、上記特許文献１に記載の濁水処理装置は、混合濁水槽や沈降槽の二つの槽が必要なため大型化するという問題があり、また、一つのラインミキサーによって攪拌するので、攪拌強度が一定で、攪拌や凝集沈降に十分な反応時間が得られず大きなフロックを形成することができないという問題がある。
本発明は、上記事情に鑑みてなされたもので、確実に攪拌できるとともに反応に十分な時間を得ることができ、また、小型化を図ることのできる攪拌装置を提供することを目的としている。
【課題を解決するための手段】
【０００４】
上記課題を解決するため、請求項１の発明は、複数種類の流体が流されて、互いに直列に配置される複数のスタティックミキサーと、
各スタティックミキサー間に連結されて、前記複数種類の流体を所定時間滞留させるホース又は滞留槽と、
前記複数種類の流体が前記スタティックミキサー、及び、前記ホース又は滞留槽を流れることにより混合された混合流体が流入される流入槽と、を備え、
前記スタティックミキサーは、管と、前記管内に設けられて板状体を所定角度で捻られた多数のエレメントと、を備え、
前記複数のスタティックミキサーのうち、上流側のスタティックミキサーは下流側のスタティックミキサーよりも前記エレメントのピッチが短いことを特徴とする。
【０００５】
請求項１の発明によれば、互いに直列に配置される複数のスタティックミキサーと、各スタティックミキサー間に連結されて、複数種類の流体を所定時間滞留させるホース又は滞留槽と、混合流体が流入される流入槽と、を備えるので、スタティックミキサー内を複数種類の流体が流れることによって攪拌することができ、駆動源等を必要としなので小型化を図ることができる。また、各スタティックミキサーの攪拌強度を適宜調整することで、溶解速度が異なる流体同士を反応させる場合でも多段階で攪拌して反応させることができ、よって確実に反応させることができる。また、スタティックミキサーで攪拌された複数種類の流体を、ホース又は滞留槽内を流すことで所定時間滞留させることができるので、反応時間を十分に確保することができる。その結果、間隔をあけて複数回の攪拌及び長時間の攪拌を行うことができる。
【０００７】
また、スタティックミキサーは、管と多数のエレメントとを備え、複数のスタティックミキサーのうち、上流側のスタティックミキサーは下流側のスタティックミキサーよりもエレメントのピッチが短いので、上流側の方が下流側よりも攪拌強度が強くなる。したがって、流体の反応に良好な攪拌を行うことができる。例えば、濁水に凝集剤を混合させて反応させる場合には、フロックの形成に最適な攪拌を行うことができる。すなわち、上流側で一気に攪拌させておき、その後、下流側では緩やかに攪拌させることで、形成したフロックを壊すことなく、フロックをゆっくりと大きく成長させることができる。
【０００８】
請求項２の発明は、請求項１に記載の攪拌装置において、
前記管内には、捻り角度が異なり、着脱自在な多数のエレメントが互いに組み合わされて設けられていることを特徴とする。
【０００９】
請求項２の発明によれば、管内には、捻り角度が異なり、着脱自在な多数のエレメントが互いに組み合わされて設けられているので、捻り角度の異なるエレメントを自由に組み合わせることで、攪拌強度を自在に変えることができる。よって、徐々に攪拌強度を弱めるなどの細かな設定をすることができる。また、複雑な曲げや溶接を必要とせず、作製が容易となる。さらに、それぞれのエレメントが小さいため、取り回しが楽で、運搬、オーバーホール時の洗浄等を容易に行うことができる。また、多数のエレメントの組み合わせからなるので、蛇行したホースの内部などにも設置でき、よりコンパクトなスタティックミキサーの使用が可能になる。
【００１０】
請求項３の発明は、請求項１又は２に記載の攪拌装置において、
前記流入槽の上流側直前に、前記混合流体に対流を生じさせる対流手段が設けられていることを特徴とする。
【００１１】
請求項３の発明によれば、発生した対流によって混合流体をより確実に攪拌することができる。特に、濁水に凝集剤を混合させた場合には、対流によってフロック同士がさらに結合し、より大きなフロックを形成することができる。また、対流手段によって、強い流れを緩衝させて、巻き上がったフロックを鎮めることができる。その結果、非常に密度の高いフロックを形成することができ、短時間でフロックを沈降分離することができるので、流入槽をより小型化させることができる。
【００１２】
請求項４の発明は、請求項１〜３のいずれか一項に記載の攪拌装置において、
前記複数の流体は、濁水及び凝集剤を含むことを特徴とする。
【００１３】
請求項４の発明によれば、複数の流体は濁水及び凝集剤を含むので、濁水に凝集剤を混合させることで、濁水から濁源成分であるフロックを沈降させて透明度の高い処理水とすることができ、濁水処理に効果的である。
【発明の効果】
【００１４】
本発明によれば、各スタティックミキサーの攪拌強度を適宜調整して確実に攪拌できるとともに、反応時間を十分に確保することができる。また、複数種類の流体を駆動源なしに攪拌できるので、小型化を図ることができる。
【発明を実施するための最良の形態】
【００１５】
以下、本発明の実施の形態について図面を用いて説明する。
図１は、攪拌装置１００の側面図である。
なお、本実施の形態では攪拌装置の一例として濁水に凝集剤を攪拌させて凝集させることにより、フロックを沈降させ濁水を処理する攪拌装置１００について説明するが、濁水と凝集剤の攪拌のみに適用されるものではなく、あらゆる流体、例えばその他の液体や粉体、気体等にも適用することができる。
攪拌装置１００は、濁水が貯留された原水槽１と、原水槽１から濁水を引き上げるポンプ（図示しない）と、ポンプで引き上げられた濁水に薬剤を投入する薬剤投入装置２と、濁水と薬剤とを攪拌し互いに直列に配置された第一〜第三のスタティックミキサー３１，３２，３３と、各スタティックミキサー３１〜３３間に連結された第一〜第三のホース４１，４２，４３と、攪拌後の混合液が流入される流入槽５と、を備える。
【００１６】
図２(a)は、薬剤投入装置２の側面図、図２(b)は、薬剤投入装置２の上面図、図２(c)は、薬剤投入装置２の正面図である。
薬剤投入装置２は、薬剤が充填されており、内蔵されたスクリュー２１をモータ２２により回転させることで充填された薬剤を投入するよう構成されている。スクリュー２１の先端部にはブラシ２３が取り付けられており、このブラシ２３によってスクリュー２１で回転された薬剤が一度に落下しないように薬剤がスクリュー２１の回転によってぱらぱらと徐々に落下するようになっている。また、付属の制御盤（図示しない）でモータ２２の回転数が調整されることにより薬剤の投入量の変更ができるようになっている。薬剤としては、例えば、硫酸バンドやＰＡＣ、その他、一般に市販されているポリアクリロアミド等のノニオン系、その他、アニオン系、カチオン系のあらゆる高分子凝集剤等が挙げられる。また、濁水としては、河川、湖沼、海域、ダム等の汚濁水が挙げられる。
【００１７】
図３(a)は、第一のスタティックミキサー３１の上面図、図３(b)は、第一のスタティックミキサー３１の側面図、図３(c)は、第一のスタティックミキサー３１の正面図、図３(d)は、第一のスタティックミキサー３１の側断面図、図４は、エレメント３１２a〜３１２eの斜視図、図５は、エレメント３１２a〜３１２eを組み合わせた状態の斜視図である。
第一〜第三のスタティックミキサー３１〜３３は、駆動部を持たない管型の混合器である。第一のスタティックミキサー３１は、円筒状の管３１１と、この管３１１内に設置された多数のエレメント３１２a，３１２b，３１２c，３１２d，３１２eと、を備えて構成されている。多数のエレメント３１２a〜３１２eは、長方形状で略同じ大きさの板状体を長手方向の両端部を持って所定角度で捻って構成したものである。ここで、図４及び図５に示すように、エレメント３１２aは長手方向の両端部を持って、一端部を左右のいずれか一方向に４５度捻ったもので、エレメント３１２bはエレメント３１２aと逆方向に９０度、エレメント３１２cはエレメント３１２bと逆方向に９０度、エレメント３１２dはエレメント３１２cと逆方向に１８０度、エレメント３１２eはエレメント３１２dと逆方向に１８０度捻って作製したものである。各エレメント３１２a〜３１２eの両端部には、他のエレメントと接続するための矩形状の切り欠き３１３，３１３が形成されており、これら切り欠き３１３，３１３を互いに係合させることによって多数のエレメント３１２a〜３１２eが接続されて、接続された状態で管３１１内に取り付けられている。したがって、管３１１内に流された濁水と薬剤とはエレメント３１２a〜３１２eによって強制的に攪拌・混合される。なお、図４及び図５に示すエレメント３１２a〜３１２eの組み合わせは一例であって、この組み合わせに限られるものではない。
また、図示しないが、第二及び第三のスタティックミキサー３２，３３も第一のスタティックミキサー３１と同様に円筒状の管と、後述するが第一のスタティックミキサー３１のエレメント３１２a〜３１２eよりもピッチが長く、所定角度で捻られた多数のエレメントから構成されている。
【００１８】
第一〜第三のスタティックミキサー３１〜３３は、上流側から第一のスタティックミキサー３１、第二のスタティックミキサー３２、第三のスタティックミキサー３３の順番に直列に配置されている。また、各スタティックミキサー３１〜３３は、図３(a)に示すように、それぞれ二列ずつ並列に設けられており、端部には後述する各ホース４１〜４３等に接続するための二分岐ボックス８，８，…が取り付けられている。
さらに、図示しないが、第一のスタティックミキサー３１のエレメント３１２a〜３１２eは、第二又は第三のスタティックミキサー３２，３３のエレメントのピッチよりも短くなっている。また、第二のスタティックミキサー３２のエレメントは、第三のスタティックミキサー３３のエレメントのピッチより短くなっており、第一のスタティックミキサー３１から第二のスタティックミキサー３２、第三のスタティックミキサー３３の順に攪拌強度が小さくなっている。
【００１９】
図１に示すように、第一のスタティックミキサー３１，３１は下流側端部が上流側端部よりも下方となるように傾斜して設置され、第一のスタティックミキサー３１，３１の下流側端部には二分岐ボックス８を介して第一のホース４１が蛇行して接続されている。また、第一のホース４１の下流側端部には二分岐ボックス８を介して第二のスタティックミキサー３２，３２がその下流側端部が下方となるように傾斜して接続され、第二のスタティックミキサー３２，３２の下流側端部には二分岐ボックス８を介して第二のホース４２が蛇行して接続されている。第二のホース４２の下流側端部には二分岐ボックス８を介して第三のスタティックミキサー３３，３３がその下流側端部が下方となるように傾斜して接続され、第二のスタティックミキサー３２，３２の下流側端部には二分岐ボックス８を介して第三のホース４３が蛇行して接続されている。
このように第一のスタティックミキサー３１，３１、第一のホース４１、第二のスタティックミキサー３２，３２、第二のホース４２、第三のスタティックミキサー３３，３３及び第三のホース４３は、上流側から下流側に向けて内部を流通する混合液が自然に流れるように傾斜して直列に連結されている。また、第一のスタティックミキサー３１，３１の鉛直方向下方に第二のスタティックミキサー３２，３２が配置され、第二のスタティックミキサー３２，３２の鉛直方向下方に第三のスタティックミキサー３３，３３が配置されている。
【００２０】
第一〜第三のホース４１〜４３は、各スタティックミキサー３１〜３３で攪拌・混合された濁水及び薬剤の混合液を滞留させ、濁水と薬剤の反応時間を確保している。すなわち、薬剤が無機系凝集剤の場合、数種の薬剤が粉末状で混入されており、それぞれの薬剤によって濁水に対する溶解度が異なるので、第一〜第三のホース４１〜４３に混合液を滞留させることで、長時間の攪拌又は間隔をあけて数回の攪拌を行うことができ、その結果フロックの形成を促すことができる。
また、第三のホース４３の下流側端部には流入槽５が設けられている。
【００２１】
図６は、流入槽５の概略側面図である。
流入槽５は、第三のホース４３から濁水及び薬剤の混合液が流入され、流入した混合液中のフロックは沈降して分離される。流入槽５は、第三のホース４３の下流側端部が挿入されるようになっており、内部が二つの仕切り板５１，５２によって第一〜第三の空間部５３，５４，５５に仕切られている。第一の空間部５３と第二の空間部５４とを仕切る仕切り板５１は、流入槽５の上側内壁面に取り付けられており、底面５aに接触しないようになっている。したがって、仕切り板５１の下端部と底面５aとの間は連通しており、第一の空間部５３と第二の空間部５４とは、仕切り板５１の下端部と底面５aとの間を介して流通できるようになっている。第二の空間部５４と第三の空間部５５とを仕切る仕切り板５２は、流入槽５の下側内壁面に取り付けられ底面５aに立設されており、上側内壁面までは延出していない。したがって、仕切り板５２の上端部を通って、第二の空間部５４と第三の空間部５５とは流通できるようになっている。
【００２２】
第一の空間部５３には、対流を発生させて、第三のホース４３から流入した混合液からフロックを対流によって沈降分離させる対流手段が設けられている。対流手段としては、例えば、袋状のものが挙げられ、具体的には図７に示すフレコンパック６等を使用することができる。
図７(a)は、フレコンパック６の蓋６３を閉じた状態の斜視図、図７(b)は、フレコンパック６の蓋６３を開けた状態の斜視図、図８(a)は、フレコンパック６の蓋６３部分を除いて模式的に示した斜視図、図８(b)は、図８(a)の切断線VIII−VIIIに沿って切断した際の矢視断面図、図８(c)は、図８(a)の上面図である。
フレコンパック６は、周知の袋状のものであり、上部開口に紐で縛って閉じることのできる蓋６３が取り付けられている。また、フレコンパック６の上端部には吊り下げ可能なように手提げ紐６４，６４が取り付けられている。このフレコンパック６は、蓋６３を開いた状態にして、上端部の四つのコーナー部のうち一つのコーナー部６１が下方に下がるように流入槽５内に針金（図示しない）などを使用して取り付けられている。図８に示すように、上端部が下がったコーナー部６１からフロックが沈降した後の処理水がオーバーフローするようになっている。また、フレコンパック６の内壁面６２（仕切り板５１に対向する面）に、第三のホース４３から流れ込んだ混合液が接触するように第三のホース４３は傾斜して配置されている。このように第三のホース４３を配置することで、流れ込んだ混合液の回転エネルギーによって対流が効率的に発生するようになっている。
【００２３】
第三の空間部５５を形成する壁面には、仕切り板５２の上端部を介して第二の空間部５４から流れ込んだ混合液のうちフロックが除かれた後の処理水を流入槽５の外部に排出する処理水排出口５６と、第三の空間部５５で沈降したフロックを流入槽５の外部に排出するフロック排出口５７とが形成されている。処理水排出口５６は、第三の空間部５５を形成する上端部内壁面に形成され、オーバーフローの形で排出される。フロック排出口５７は、第三の空間部５５を形成する下端部内壁面に形成され、この排出口５７を開口することでフロックが取り出されるようになっている。
【００２４】
次に、上述の構成をなした攪拌装置１００の動作について説明する。図９は、攪拌装置１００の動作工程を示した図である。
まず、ポンプが駆動することにより原水槽１から濁水が引き上げられて第一のスタティックミキサー３１内に流れ込む（ステップＳ１）。このとき薬剤投入装置２はポンプの負圧を利用して、第一のスタティックミキサー３１内に薬剤を投入する（ステップＳ２）。そして、第一のスタティックミキサー３１内で濁水と薬剤とが流れることによって、エレメント３１２，３１２，…により水流が巻き起こされて自然流下によって濁水中に均一に薬剤が分散される。その後、第一のホース４１内に流れ込み、ここで濁水と薬剤との反応時間が確保され、濁水と薬剤とがゆっくりと反応しフロックの形成が促進される。
さらに、第二のスタティックミキサー３２、第二のホース４２、第三のスタティックミキサー３３及び第三のホース４３内を濁水及び薬剤の混合液が流れることにより、攪拌強度が変えられて複数回の攪拌及び反応時間が確保される（ステップＳ３）。
その後、対流手段であるフレコンパック６内へと排出される（ステップＳ４）。フレコンパック６内に混合液が流れ込むことで、その回転エネルギーにより対流が生じ、対流によってフロック同士がさらに結合し、より大きなフロックが形成される。また、混合液は対流によって、沈降したフロック内を通ることにより、それがフィルター剤となって浮遊したフロックを絡め取り、分離が促されフレコンパック６内に沈降する（ステップＳ５）。その後、流れがおさまってフレコンパック６の上端部のうち下方に下げられた部分６１から、ある程度フロックが沈降した後の処理水がオーバーフローし、仕切り板５１の下端部と底面５aとの間を通って第二の空間部５４へと流れ込み、さらに、水流によってオーバーフローし、仕切り板５２の上端部を介して第三の空間部５５へと流れ込む。なお、仕切り板５１や仕切り板５２によっても流れが緩衝されて、フロックの形成及び沈降が促進されるようになっている。さらに、処理水は処理水排出口５６から外部へ排出され（ステップＳ６）、沈降したフロックはフロック排出口５７から外部に排出される（ステップＳ７）。
【００２５】
以上のように、本実施の形態によれば、互いに直列に配置された複数のスタティックミキサー３１〜３３と、各スタティックミキサー３１〜３３間に連結されて、濁水及び薬剤の混合液を所定時間滞留させる第一〜第三のホース４１〜４３と、混合液が流入される流入槽５と、を備えるので、各スタティックミキサー３１〜３３を濁水及び薬剤が流れることによって攪拌することができ、駆動源を必要としないので小型化を図ることができる。また、各スタティックミキサー３１〜３３の攪拌強度を適宜調整することで、溶解速度が異なる薬剤同士を反応させる場合でも多段階で攪拌して反応させることができ、よって確実に反応させることができる。また、スタティックミキサー３１〜３３で攪拌された混合液を、第一〜第三のホース４１〜４３内を流すことで所定時間滞留させることができるので、反応時間を十分に確保することができる。その結果、間隔をあけて複数回の攪拌及び長時間の攪拌を行うことができる。
第一〜第三のスタティックミキサー３１〜３３は、それぞれ管３１１と多数のエレメント３１２a〜３１２eとを備え、下流側から上流側に向けてスタティックミキサー３１〜３３のエレメント３１２，３１２のピッチが長いので、上流側の方が下流側よりも攪拌強度が強くなる。したがって、濁水に凝集剤を混合させて反応させる場合、フロックの形成に最適な攪拌を行うことができる。すなわち、上流側で一気に攪拌させておき、その後、下流側では緩やかに攪拌させることで形成したフロックを壊すことなく、フロックをゆっくりと大きく成長させることができる。
また、第一〜第三のスタティックミキサー３１〜３３の各管３１１内には、捻り角度が異なり、着脱自在な多数のエレメント３１２a〜３１２eが互いに組み合わされて設けられているので、捻り角度の異なるエレメント３１２a〜３１２eを自由に組み合わせることで、攪拌強度を自在に変えることができる。そのため、徐々に攪拌強度を弱めるなどの細かな設定をすることができる。また、複雑な曲げや溶接を必要とせず、作製が容易となる。さらに、それぞれのエレメント３１２a〜３１２eが小さいため、取り回しが楽で、運搬、オーバーホール時の洗浄等を容易に行うことができる。
また、流入槽５の第一の空間部５３には、対流手段であるフレコンパック６が設けられているので、混合液が流入することにより発生した対流によって、フロック同士がさらに結合し、より大きなフロックを形成することができる。また、大きなフロックはフレコンパック６内で沈降し、流入槽５の下流側の第三の空間部５５ではフロックの浮遊も無く、より透明度の高い処理水を得ることができる。また、フレコンパック６によって、強い流れを緩衝させて、巻き上がったフロックを鎮めることができる。その結果、非常に密度の高いフロックを形成することができ、短時間でフロックを沈降分離することができるので、流入槽５をより小型化させることができる。
【００２６】
［変形例］
図１０は、攪拌装置１００Ａの変形例を示したもので、外観斜視図である。
図１０に示す攪拌装置１００Ａは、上記攪拌装置１００のように第一〜第三のスタティックミキサー３１〜３３が鉛直方向上下に並んで設けられているのではなく、第一〜第三のスタティックミキサー３１Ａ〜３３Ａ及び第一〜第三のホース４１Ａ〜４３Ａが左右に直線上に延在するように組み付けられている。以下、同様の構成部分については、同様の数字に英字Ａを付してその説明を省略し、異なる点についてのみ説明する。
攪拌装置１００Ａは、原水槽１Ａと、混気ジェットポンプ（ＭＪＰポンプ）Ｐ１と、混気ジェットポンプ用揚水ポンプＰ２と、濁水用ホースＨと、薬剤投入装置２Ａと、第一〜第三のスタティックミキサー３１Ａ〜３３Ａ及び第一〜第三のホース４１Ａ〜４３Ａを連結してなる二組のユニット７Ａ，７Ａと、流入槽５Ａと、を備える。
【００２７】
この攪拌装置１００Ａでは、上述した攪拌装置１００と異なり周知の混気ジェットポンプＰ１を使用しており、混気ジェットポンプ用揚水ポンプＰ２で引き上げられた駆動高圧水に薬剤投入装置２Ａから空気及び薬剤を導入し、空気と高圧水を噴射することにより、高効率で真空が発生し、これによってホースＨから濁水が引き上げられるようになっている。なお、上述の図１に示す攪拌装置１００でも混気ジェットポンプＰ１を使用しても良い。
【００２８】
ユニット７Ａは、第一〜第三のスタティックミキサー３１Ａ〜３３Ａ及び第一〜第三のホース４１Ａ〜４３Ａが交互に直列となるように左右に延在して連結されており、さらに、これらが四本ずつ並列に配置されて構成されている。そして、このようなユニット７Ａが二列に並列に配置されている。
詳細には、薬剤投入装置２Ａの下端部にＹ字管８Ａが接続され、Ｙ字管８Ａの一方の分岐部８１Ａに四分岐ボックス９Ａが接続され、同様に他方の分岐部８１Ａにも四分岐ボックス９Ａが接続されている。そして、各四分岐ボックス９Ａ，９Ａに上記二つのユニット７Ａ，７Ａが、下流側端部が下方となるように傾斜して接続されている。
【００２９】
図１１は、四分岐ボックス９Ａを示した図であり、(a)は側面図、(b)は上面図、(c)は正面図である。
四分岐ボックス９Ａは、ボックス本体９１Ａと、ボックス本体９１Ａの一つの側面に設けられてＹ字管８Ａの各分岐部８１Ａ，８１Ａに接続される接続本管部９２Ａと、ボックス本体９１Ａの接続本管部９２Ａと対向する側面に設けられて四つの第一のスタティックミキサー３１Ａ，３１Ａ，…に接続される四つの接続分岐部９３Ａ，９３Ａ，…と、を備えている。接続分岐部９３Ａ，９３Ａ，…が設けられた側面で、接続分岐部９３Ａ，９３Ａ，…の上側（接続本管部９２Ａから流れた水流が当たる部分）には、ゴム板９４Ａが固定されており、これによって水流による補強及び劣化を防いでいる。
【００３０】
図１２は、第一〜第三のスタティックミキサー３１Ａ〜３３Ａ及びエレメント３１２Ａ，３２２Ａ，３３２Ａを示した側面図である。
第一〜第三のスタティックミキサー３１Ａ〜３３Ａは、上述した図１に示す第一〜第三のスタティックミキサー３１〜３３と同様に、第一のスタティックミキサー３１Ａ、第二のスタティックミキサー３２Ａ、第三のスタティックミキサー３３Ａの順にエレメント３１２Ａ，３２２Ａ，３３２Ａのピッチが長くなっており、攪拌強度が上流側から下流側に向けて弱くなっている。なお、エレメント３１２Ａ，３２２Ａ，３３２Ａの捻り角度は、上述した攪拌装置１００と同様に、例えば４５度、９０度、１８０度等のものが複数混在しており、これらが適宜組み合わされて接続されている。
【００３１】
また、図１０に示すように、各ユニット７Ａ，７Ａの第三のホース４３Ａ，４３Ａ，…の下流側端部には流入槽５Ａが設けられており、流入槽５Ａ内には仕切り板５１Ａが立設され、第一の空間部５３Ａと第二の空間部５４Ａとに仕切られている。また、仕切り板５１Ａの上端部の一部には切り欠き５１１Ａが形成されており、混合液からフロックが除去された後の処理水が切り欠き５１１Ａを介して第一の空間部５３Ａから第二の空間部５４Ａへとオーバーフローして流れ込むようになっている。
【００３２】
なお、本発明は上記実施の形態に限定されるものではなく、その要旨を逸脱しない範囲で適宜変更可能である。例えば、上記実施の形態では、スタティックミキサーは三つ備えるとしたが、複数備えていれば良く、二つであっても良いし、四つ以上であっても良い。また、ホースについても同様にその個数は適宜変更可能である。
また、濁水と薬剤との反応時間を確保する手段として、第一〜第三のホース４１，４３を使用したが、これらホース４１〜４３に限らず混合液を滞留できる滞留槽（図示しない）を使用しても構わない。
【００３３】
また、上記変形例以外に、例えば、第一〜第三のスタティックミキサー、第一〜第三のホースやタンクをそれぞれボックス内に収容しておき、各ボックスをそれぞれ組み合わせることによって攪拌装置を構成するようにしても良い。例えば、図１３に示すように、第一のスタティックミキサー３１Ｂが収容されたボックス３４Ｂ、第一のホース４１Ｂが収容されたボックス３５Ｂ、第二のスタティックミキサー３２Ｂが収容されたボックス３６Ｂ、滞留槽３７Ｂが収容されたボックス３８Ｂ、を順に上下に組み合わせて接続することによって攪拌装置１００Ｂを構成することができる。図１３中、図１と同様の構成部分には同様の数字に英字Ｂを付してその説明を省略する。また、各ボックス３４Ｂ，３５Ｂ，３６Ｂ，３８Ｂは、上下方向に縦型に組み合わせるのではなく、左右方向に横型に組み合わせても良い。このようにボックス型にすることによって攪拌強度、攪拌回数や溶解時間等を自在に調整することができ、様々な用途に適用することができる。さらに、ボックス型とすることによってより攪拌装置１００Ｂ自体をよりコンパクトにすることができる。また、第一及び第二のスタティックミキサー３１Ｂ，３２Ｂを構成する各エレメントは、その長さも短く、これらエレメントがそれぞれ着脱自在に組み合わされているので、管の長さや、管が蛇行した場合であっても容易に対応して管内に設置することができる。
【図面の簡単な説明】
【００３４】
【図１】攪拌装置１００の側面図である。
【図２】(a)は、薬剤投入装置２の側面図、(b)は、薬剤投入装置２の上面図、(c)は、薬剤投入装置２の正面図である。
【図３】(a)は、第一のスタティックミキサー３１の上面図、(b)は、第一のスタティックミキサー３１の側面図、(c)は、第一のスタティックミキサー３１の正面図、(d)は、第一のスタティックミキサー３１の側断面図である。
【図４】エレメント３１２a〜３１２eの斜視図である。
【図５】エレメント３１２a〜３１２eを組み合わせた状態の斜視図である。
【図６】流入槽５の概略側面図である。
【図７】(a)は、フレコンパック６の蓋６３を閉じた状態の斜視図、図７(b)は、フレコンパック６の蓋６３を開けた状態の斜視図である。
【図８】(a)は、フレコンパック６の蓋６３部分を除いて模式的に示した斜視図、図８(b)は、図８(a)の切断線VIII−VIIIに沿って切断した際の矢視断面図、図８(c)は、図８(a)の上面図である。
【図９】攪拌装置１００の動作工程を示した図である。
【図１０】攪拌装置１００Ａの変形例を示したもので、外観斜視図である。
【図１１】四分岐ボックス９Ａを示した図であり、(a)は側面図、(b)は上面図、(c)は正面図である。
【図１２】第一〜第三のスタティックミキサー３１Ａ〜３３Ａ及びエレメント３１２Ａ，３２２Ａ，３３２Ａを示した側面図である。
【図１３】ボックス型の攪拌装置１００Ｂの側面図である。
【符号の説明】
【００３５】
５  流入槽
６  フレコンパック（対流手段）
３１  第一のスタティックミキサー
３２  第二のスタティックミキサー
３３  第三のスタティックミキサー
４１  第一のホース
４２  第二のホース
４３  第三のホース
１００  攪拌装置
３１２a，３１２b，３１２c，３１２d，３１２e  エレメント
【図１】
0005006167.tif 000002
【図２】
0005006167.tif 000003
【図３】
0005006167.tif 000004
【図４】
0005006167.tif 000005
【図５】
0005006167.tif 000006
【図６】
0005006167.tif 000007
【図７】
0005006167.tif 000008
【図８】
0005006167.tif 000009
【図９】
0005006167.tif 000010
【図１０】
0005006167.tif 000011
【図１１】
0005006167.tif 000012
【図１２】
0005006167.tif 000013
【図１３】
0005006167.tif 000014